(57)【要約】      （修正有）【課題】靴ヒールのトップリフト交換を一般の人でも容易に行えるトップリフト交換専用バイスを提供する。【解決手段】トップリフト交換専用バイスは、ベース台１と、相対設置する二つの挟持台２，３と、それらの挟持台を相対して近づかせるか離れさせるシフトを行なう螺着棒４とを含む。何れか一つの挟持台には相対設置する挟持平面を備え、物件を挟持台間に配置し、螺着棒を動かすことで相対してシフトする挟持台が挟み込む物件に近づいた後に、物件に対して作業を行うことができる。そのうち、相対設置する二つの挟持台には更に挟持板５，６を相対設置し、挟持板の挟持端にはテーパーを設ける。【選択図】図１
0003184143.tif 000002
【実用新案登録請求の範囲】
【請求項１】
ベース台と、相対設置する二つの挟持台と、それらの挟持台を相対して近づかせるか離れさせるシフトを行なう螺着棒とを含み、何れか一つの挟持台には相対設置する挟持平面を備え、相対設置する二つの挟持台には更に挟持板を相対設置し、挟持板の挟持端にはテーパーを設けることを特徴とするトップリフト交換専用バイス。
【考案の詳細な説明】
【技術分野】
【０００１】
本考案は、バイスに関し、特に靴ヒールのトップリフトを交換する際の専用バイスに係る。
【背景技術】
【０００２】
一般のハイヒールのヒール部の末端には緩衝作用のあるポリウレタン素材のクッション体が固定されている。この部分をトップリフトという。トップリフトの固定方式は通常、ヒール内に少なくとも一つの空洞を予め設け、トップリフト上にはこれに対応する少なくとも一つの釘を予め埋設し、釘の外表面には粗い筋をつけ、釘の外径を空洞の内径より若干大きくすることにより緊密に係合させる。また、強力接着剤を用いて粘着し二者の結合強度を強化することによりトップリフトの固定空洞内での回転を防ぐ。
【０００３】
しかし、トップリフトは、長く使用しているうちに磨耗による変形が自然に現れ、使用者にとっては、靴全体の美観が損なわれる他、バランスが悪くなり耐磨耗度が低下するために足首の捻挫や滑って倒れる等の事故を引き起こし易くなる。よって、トップリフトは磨耗レベルをみて適時に交換する必要がある。
【０００４】
当初、トップリフトの脱落を防止するために強化した結合方式は、却ってトップリフトの交換を体力消耗の大作業にした。靴修理士は通常ニッパーでトップリフトを挟み込んだ後に、左右に動かして釘と空洞の隙間を拡大し、更に力をいれて引っ張り出した。よって、トップリフト交換は経験のある専門家が必要なだけでなく時間もかかった。一般には、トップリフト交換の平均費用は約NTD100〜300元であり、受取りまでには3〜5日を要する。しかも前述したような古いトップリフトを取り外す過程において左右に動かし強い力で引っ張ると空洞のサイズが大きく不規則になるため、交換した新しいトップリフトの固定レベルは憂慮される。
【０００５】
そこで、力をいれて空洞のサイズ仕様を破壊することのないように、現有の機械器具を運用してニーズに応じて整合性を加えた専門の工具を作り、トップリフトの交換作業を便利にすることが、開発すべく課題である。
【先行技術文献】
【特許文献】
【０００６】
【特許文献１】米国特許公示第ＵＳ４９５３８３９号明細書
【考案の概要】
【考案が解決しようとする課題】
【０００７】
本考案の出願者は靴類専門製造業者であり、トップリフト交換時の必要性と便利性に対する市場のニーズに応えるために力を合わせて専門器具を開発した。
本考案の主な目的は、前述した伝統的なバイスとハイヒールのトップリフト交換の二者を整合して形成する専用工具を提供し、トップリフト交換を一般人でも気軽に行なえる作業とすることにある。
【課題を解決するための手段】
【０００８】
本考案はトップリフト交換専用バイスを提供する。該トップリフト交換専用バイスは、ベース台と、相対設置する二つの挟持台と、それらの挟持台を相対して近づかせるか離れさせるシフトを行なう螺着棒とを含む。そのうち、何れか一つの挟持台には相対設置する挟持平面を備え、物件を挟持台間に配置し、螺着棒を動かすことで相対してシフトする挟持台が挟み込む物件に近づいた後に、物件に対して直ちに作業を行うことができる。尚、相対設置する二つの挟持台には更に挟持板を相対設置し、挟持板の挟持端に下方向に傾斜するテーパー(taper)を設ける。
【０００９】
操作時には片手でハイヒールを持ちヒールのトップリフトを相対設置した挟持板間に配置し、もう片方の手でゆっくりと螺着棒を回転させて挟持板を相対して近づかせ、挟持端がトップリフトを挟み込むまで動かし、さらに螺着棒を続けて回転させると挟持板の挟持端がトップリフトを押圧し、挟持端のテーパーによってトップリフトには下方に引っ張る力が起きる。これにより、簡単にトップリフトをヒールから垂直の下方向に引っ張り出すことができ、取り外し作業が完了する。
【００１０】
前述した通り、古いトップリフトを取り外す過程では、強い力を使って空洞の仕様を破壊することがないため、新しいトップリフトをポイント接着した後、金槌、鉄製台等の靴修理道具で気軽にトップリフトを空洞に打ち込み、新しいトップリフトの取り付けを完了させることができる。交換過程が非常に簡単であり特別な専門技術も不要であるため、一般の店の販売員でも作業ができ、過去のように修理部門に送り専門技師に直してもらうことも必要ない。それと同時に、交換作業全体が30分以内で終了し、顧客は店に着いたらすぐに修理してもらえ、ちょっと待つだけで持って帰ることができる。顧客サービスにおいても疑いなく大きな飛躍となる。
【考案の効果】
【００１１】
本考案のトップリフト交換専用バイスは、トップリフト交換を一般人でも気軽に行なえる効果を備える。
【図面の簡単な説明】
【００１２】
【図１】本考案の外観立体図及び一部拡大図である。
【図２】本考案の操作図である。
【考案を実施するための形態】
【００１３】
以下の説明及び図面は、本考案の構造技術及び特徴範囲をさらに容易に理解していただくために本考案の特徴に基づいて開示した実施例である。
【００１４】
図１及び一部拡大図Ａに示すとおり、本考案の開示するトップリフト交換専用バイスは、ベース台１と、二つの相対位置にある挟持台２及び挟持台３と、それらの挟持台を相対して近づかせるか離れさせるシフトを行なう螺着棒４とを含む。そのうち、何れか一つの挟持台には相対位置にある挟持平面２１または挟持平面３１を備え、物件を挟持台間に配置し、螺着棒４を動かすことで相対してシフトする挟持台が挟み込む物件に近づいた後に、物件に対して作業を行うことができる。前記バイスの構造及びその使用方式については、特許文献１に開示されている通りである故、説明を省く。
【００１５】
本考案は、二つの相対設置した挟持台２及び挟持台３に更に挟持板５及び挟持板６を相対設置し、挟持板の挟持端５１、挟持端６１にテーパー(taper)５２及びテーパー６２を設けることを特徴とする。
【００１６】
図２に示す通り、操作時には片手をヒール７のトップリフト８を相対設置した挟持板５と挟持板６の間に配置し、もう片方の手でゆっくりと螺着棒４を回転させて挟持板５と挟持板６を相対して近づかせ、挟持端５１と挟持端６１がトップリフト８を挟み込むまで動かす。さらに、螺着棒４を続けて回転させると挟持端５１と挟持端６１がトップリフト８を押圧し、挟持端の下方に傾斜するテーパー５２とテーパー６２によってトップリフト８には下方に引っ張る力が起き、トップリフト８は自動的にヒール７との結合箇所から離脱する。よって、簡単にトップリフト８をヒール７から垂直の下方向に引っ張り出すことができ、取り外し作業が完了する。
【００１７】
前述した通り、本考案は非常に豊富なオリジナル性を備え、各種業界において長く使用されてきたバイスに巧妙な改良を加え、トップリフト交換の最も優れた道具を作り出した。その実用効果は疑いの余地なく、本考案は市場における公開やその他の刊行物には見られないものである。
【符号の説明】
【００１８】
１  ベース台
２  挟持台
３  挟持台
２１  挟持平面
３１  挟持平面
４  螺着棒
５  挟持板
６  挟持板
５１  挟持端
６１  挟持端
５２  テーパー
６２  テーパー
７  ヒール
８  トップリフト
【図１】
0003184143.tif 000003
【図２】
0003184143.tif 000004